(57)【要約】【課題】本発明は、安価で、かつ施工性を向上できる鉄筋コンクリート造の構造物の架構構造を提供する【解決手段】上下方向に建て込まれた複数の鉄筋ユニット１０の、向かい合う柱主筋の端部どうしに機械式継ぎ手を形成して、これらにコンクリート１１を打設することにより、柱２が形成される。また、上下方向に連接された複数の鉄筋ユニット１０の組み合わせの、梁かご鉄筋９を水平方向で同軸に位置すように隣接して配置し、向かい合う梁主筋９の端部同士に重ね継ぎ手を形成して、これらを前記コンクリート１１で埋設されることにより、梁６が形成され、これにより、構造物１の架構構造が構築される。【選択図】  図１
2004308320.tif 000002
【特許請求の範囲】
【請求項１】
柱と梁を備える鉄筋コンクリート造の構造物の架構構造であって、
前記構造物に形成される階層の２倍の長さに等しい部材長を有する複数の柱主筋と複数の帯筋により構成される柱かご鉄筋と、前記構造物の梁を構成する複数の上端筋及び下端筋よりなる梁主筋と複数のあばら筋により構成される梁かご鉄筋を備えてなり、鉛直に立設する前記柱かご鉄筋の所定位置に、前記梁かご鉄筋が、前記構造物に形成される階層と等しい離間間隔をもって対をなして水平に配され、長さ方向の中間部を固定手段を介して固定されてなる鉄筋ユニットが、上下方向に複数連接されて、向かい合う柱主筋に機械式継ぎ手を形成し、これらをコンクリートで埋設されることにより柱が構成されるとともに、
上下に連接された前記鉄筋ユニットの組み合わせが、前記梁かご鉄筋を向かい合わせるように、所定の離間間隔をもって平行に複数配置されて、向かい合う梁主筋に重ね継ぎ手を形成し、これらをコンクリートで埋設することにより梁が構成されており、
前記柱に形成される柱主筋の機械式継ぎ手が、隣り合う柱に形成される柱主筋の機械式継ぎ手に対して、千鳥状に配置されることを特徴とする構造物の架構構造。
【請求項２】
請求項１に記載の構造物の架構構造において、
向かい合う前記梁主筋に形成される重ね継ぎ手には、該梁主筋と比較して径の細い継手筋が用いられており、
該継ぎ手筋が、梁かご鉄筋の内方で、梁主筋とあばら筋に周面を接する位置に配置されることを特徴とする構造物の架構構造。
【請求項３】
請求項２に記載の構造物の架構構造において、
梁かご鉄筋の側面に隣接する梁主筋に用いられる継ぎ手筋が、梁主筋の下方とあばら筋の鉛直部に周面を接するように配置されることを特徴とする構造物の架構構造。
【発明の詳細な説明】
【０００１】
【発明の属する技術分野】
本発明は、鉄筋コンクリート造の柱及び梁を備える構造物の架構構造に関する。
【０００２】
【従来の技術】
鉄筋コンクリート造の構造物において、大梁の主筋には高強度の太径鉄筋を用いるのが一般的になっている。これらの高強度太径鉄筋を用いた場合の鉄筋継ぎ手は、特許文献１で用いているような機械式継ぎ手を、梁主筋に採用することが一般的であり、天候に左右されない機械式継ぎ手は、施工的な面からも非常に有利である。
【０００３】
【特許文献１】
特開平０６−１９３１９５号公報（ｐ２、図１参照）
【０００４】
【発明が解決しようとする課題】
しかし、カプラー等の機械式継ぎ手部材はコストが高く、高層ＲＣ造及び超高層ＲＣ造建物の鉄筋工事費のうち、機械式継ぎ手部材に係る費用の占める割合は、１／３以上となっており、コスト競争の厳しい中、継ぎ手コストの削減が望まれている。
【０００５】
上記事情に鑑み、本発明は、安価で、かつ施工性を向上できる鉄筋コンクリート造の構造物の架構構造を提供することを目的としている。
【０００６】
【課題を解決するための手段】
請求項１記載の構造物の架構構造は、柱と梁を備える鉄筋コンクリート造の構造物の架構構造であって、前記構造物に形成される階層の２倍の長さに等しい部材長を有する複数の柱主筋と複数の帯筋により構成される柱かご鉄筋と、前記構造物の梁を構成する複数の上端筋及び下端筋よりなる梁主筋と複数のあばら筋により構成される梁かご鉄筋を備えてなり、鉛直に立設する前記柱かご鉄筋の所定位置に、前記梁かご鉄筋が、前記構造物に形成される階層と等しい離間間隔をもって対をなして水平に配され、長さ方向の中間部を固定手段を介して固定されてなる鉄筋ユニットが、上下方向に複数連接されて、向かい合う柱主筋に機械式継ぎ手を形成し、これらをコンクリートで埋設されることにより柱が構成されるとともに、上下に連接された前記鉄筋ユニットの組み合わせが、前記梁かご鉄筋を向かい合わせるように、所定の離間間隔をもって平行に複数配置されて、向かい合う梁主筋に重ね継ぎ手を形成し、これらをコンクリートで埋設することにより梁が構成されており、前記柱に形成される柱主筋の機械式継ぎ手が、隣り合う柱に形成される柱主筋の機械式継ぎ手に対して、千鳥状に配置されることを特徴としている。
【０００７】
請求項２記載の構造物の架構構造は、向かい合う前記梁主筋に形成される重ね継ぎ手には、該梁主筋と比較して径の細い継手筋が用いられており、該継ぎ手筋が、梁かご鉄筋の内方で、梁主筋とあばら筋に周面を接する位置に配置されることを特徴としている。
【０００８】
請求項３記載の構造物の架構構造は、梁かご鉄筋の側面に隣接する梁主筋に用いられる継ぎ手筋が、梁主筋の下方とあばら筋の鉛直部に周面を接するように配置されることを特徴としている。
【０００９】
【発明の実施の形態】
本発明の鉄筋コンクリート造の構造物の架構構造を、図１〜図４に示す。本発明の鉄筋コンクリート造の構造物の架構構造は、柱を構成する柱かご鉄筋を構造物の階層の２倍の長さに形成しておくとともに、該柱かご鉄筋に、梁を構成する梁かご鉄筋を、構造物の階層と同様の長さを離間間隔として対をなして固定したキの字型の鉄筋鉄筋ユニットを構築しておき、該鉄筋ユニットを上下方向には機械式継ぎ手、水平方向には重ね継ぎ手を形成して複数連結することにより構築するもので、機械式継ぎ手の数量が減りコストダウンを図ることができるものである。
【００１０】
図１に示すように、鉄筋コンクリート造の柱２と梁６を備えた構造物１は、柱２を構成する柱かご鉄筋５と、梁６を構成する梁かご鉄筋９を組み合わせた鉄筋ユニット１０を、水平方向及び鉛直方向に複数連接し、これをコンクリート１１で埋設することにより構築されている。
【００１１】
図２に示すように、前記鉄筋ユニット１０を構成する柱かご鉄筋５は、複数の柱主筋３及び帯筋４を所望の断面を確保するように組み合わせて形成したものであり、構築したい構造物の２階層分の長さを有するように、前記柱主筋３の部材長を調整している。なお、該柱主筋３には、一方の端部に機械式継ぎ手部材１２が備えられており、本実施の形態では、下端部に該機械式継ぎ手部材１２を取り付けている。
また、前記梁かご鉄筋９は、複数の上端筋７ａ及び下端筋７ｂを備える梁主筋７と、あばら筋７を所望の断面を確保するように組み合わせて形成したものであり、構築したい構造物の１スパン分に柱の部材幅を足し合わせた長さを有するように、前記梁主筋７の部材長を調整している。
【００１２】
このような柱かご鉄筋５及び梁かご鉄筋９を備えた鉄筋ユニット１０は、鉛直方向に延在する柱かご鉄筋５に、水平方向に延在する２体の前記梁かご鉄筋９を所定の離間距離を持って固定手段を介して固定することにより、キの字型に成形したものである。なお、対をなす梁かご鉄筋９の離間距離は、構築したい構造物１の階高と同様に形成されている。
【００１３】
上述する該鉄筋ユニット１０の鉛直方向の接合構造は、図１に示すように、複数を前記柱かご鉄筋５を鉛直方向で同軸に位置すように上下に配置し、下方に位置する鉄筋ユニット１０の柱主筋３の上端部と、上方に位置する柱かご鉄筋５の柱主筋３の下端部とを前記機械式継ぎ手部材１２を用いて連結し、両者間に機械式継ぎ手を形成するものである。
また、前記鉄筋ユニット１０の水平方向の接合構造は、複数の鉄筋ユニット１０を前記梁かご鉄筋９を水平方向で同軸に位置すように隣接して配置し、図３に示すように、向かい合う梁かご鉄筋９を構成する梁主筋７の上端筋７ａどうし及び下端筋７ｂの端部を跨ぐように、継ぎ手筋１３を配置することにより、両者間に重ね継ぎ手を形成するものである。このとき、水平方向に隣り合う前記鉄筋ユニット１０は、柱かご鉄筋５に対して上方に位置する梁かご鉄筋９と下方に位置する梁かご鉄筋９が、水平方向で同軸に位置するように配置することとし、高さ方向に段差をもって接合する構成としている。
【００１４】
したがって、前記構造物１は、上下方向に建て込まれた複数の鉄筋ユニット１０の、向かい合う柱主筋３の端部どうしに機械式継ぎ手を形成して、これらにコンクリート１１を打設することにより、柱２が形成される。また、上下方向に連接された複数の鉄筋ユニット１０の組み合わせを、前記梁かご鉄筋９が水平方向で同軸に位置するように隣接して配置し、向かい合う梁主筋９の端部同士に重ね継ぎ手を形成して、これらを前記コンクリート１１で埋設されることにより、梁６が形成され、構造物１の架構構造が構築されるものである。このとき、前記柱２に形成される柱主筋３の機械式継ぎ手は、隣り合う柱２に形成される柱主筋３の機械式継ぎ手に対して、千鳥状に配置されている。
【００１５】
なお、本実施の形態では、前述した前記鉄筋ユニット１０の水平方向の接合構造において、向かい合う梁かご鉄筋９の梁主筋７どうしの重ね継ぎ手に、継ぎ手筋１３を用いているが、該継ぎ手筋１３には、前記梁主筋７と比較して断面径の小さい細径鉄筋が用いられている。例えば、梁主筋７にＤ３２〜Ｄ４１の太径鉄筋を用いて重ね継ぎ手を形成する場合には、該継ぎ手筋１３にＤ２２〜２９程度の細径鉄筋を用いればよく、その重ね長さは２ｍ程度で良い。
また、該継ぎ手筋１３の配置位置は、図４に示すように、その周面が梁主筋７と前記あばら筋８の両者に接するように配置している。このとき、梁かご鉄筋９の内方に位置する上端筋７ａ及び下端筋７ｂ各々に配される継ぎ手筋１３は、横重ね継ぎ手、つまり上端筋７ａ及び下端筋７ｂの側方に接するとともに、あばら筋８の水平部に接するように配置されている。一方で、梁かご鉄筋９の側面に隣接する上端筋７ａ及び下端筋７ｂ各々に配される継ぎ手筋１３は、縦重ね継ぎ手、つまり上端筋７ａ及び下端筋７ｂの下方に接するとともに、あばら筋８の鉛直部に接するように配置されている。
このような構成は、前記継ぎ手筋１３をあばら筋８に接するように配置することで、継ぎ手筋１３をあばら筋８に結束できるため、作業性を向上することができるものである。また、あばら筋８の鉛直部に前記継ぎ手筋１３を接するように配置する構成は、サイドストリップモードで決まる付着割裂耐力を高めることを目的とするものである。
【００１６】
上述する構成によれば、前記構造物１は、柱かご鉄筋５と梁かご鉄筋９により形成された複数の鉄筋ユニット１０を、上下方向に建て込み、柱主筋３に機械式継ぎ手を形成させるとともに、これらを隣り合わせて配置し、梁主筋７に重ね継ぎ手を形成した上で、両者をコンクリート１１で埋設することにより、柱２と梁６を備えた架構構造を形成するため、簡略な構成で構造物１の架構構造を構成できるとともに、現場における配筋作業を大幅に省略でき、施工性が良く工期を大幅に短縮させることが可能となる。さらに、前記鉄筋ユニット１０をモジュール化することにより、工費削減にも大きく寄与することが可能となる。
【００１７】
また、前記鉄筋ユニット１０は、柱かご鉄筋５を構造物の２階層分の高さに形成していることから、該鉄筋ユニット１０が構造物の２層分に相当するため、上下方向に鉄筋ユニット１０を連接する際には、その機械式継ぎ手の数量を構造物１の階層の半分に削減できるとともに、前記梁かご鉄筋９を重ね継ぎ手により連結するため、構造物１の架構構造に用いる機械式継ぎ手部材１２の数量を大幅に削減することができ、コストを大幅に削減することが可能となる。
【００１８】
さらに、前記柱２に形成される柱主筋３の機械式継ぎ手は、隣り合う柱２に形成される柱主筋３の機械式継ぎ手に対して、千鳥状に配置されていることから、ヤードにおける先組鉄筋の地組作業を均一化することが可能となる。また、効率的に作業を行うことができ、超高層ＲＣチューブ構造の構造物や中高層の板状マンション等に有効に活用することができる。
【００１９】
また、梁かご鉄筋９を構成する梁主筋７の連結に用いられる前記継ぎ手筋１３が、梁かご鉄筋９の内方であばら筋８に接するように配されていることから、継ぎ手筋１３を配置する際にはあばら筋８に結束すればよいため、作業性を大幅に向上することが可能となる。
さらに、梁かご鉄筋９の側面に隣接する上端筋７ａ及び下端筋７ｂ各々に配される継ぎ手筋１３を、あばら筋８の鉛直部に接するように配置することにより、サイドストリップモードで決まる付着割裂耐力を高めることができ、梁６の構造耐力を高めることが可能となる。
【００２０】
【発明の効果】
請求項１記載の構造物の架構構造によれば、柱と梁を備える鉄筋コンクリート造の構造物の架構構造であって、前記構造物に形成される階層の２倍の長さに等しい部材長を有する複数の柱主筋と複数の帯筋により構成される柱かご鉄筋と、前記構造物の梁を構成する複数の上端筋及び下端筋よりなる梁主筋と複数のあばら筋により構成される梁かご鉄筋を備えてなり、鉛直に立設する前記柱かご鉄筋の所定位置に、前記梁かご鉄筋が、前記構造物に形成される階層と等しい離間間隔をもって対をなして水平に配され、長さ方向の中間部を固定手段を介して固定されてなる鉄筋ユニットが、上下方向に複数連接されて、向かい合う柱主筋に機械式継ぎ手を形成し、これらをコンクリートで埋設されることにより柱が構成されるとともに、上下に連接された前記鉄筋ユニットの組み合わせが、前記梁かご鉄筋を向かい合わせるように、所定の離間間隔をもって平行に複数配置されて、向かい合う梁主筋に重ね継ぎ手を形成し、これらをコンクリートで埋設することにより梁が構成されており、前記柱に形成される柱主筋の機械式継ぎ手が、隣り合う柱に形成される柱主筋の機械式継ぎ手に対して、千鳥状に配置される。
これにより、簡略な構成で構造物の架構構造を構成できるとともに、現場における配筋作業を大幅に省略でき、施工性が良く工期を大幅に短縮させることが可能となる。さらに、前記鉄筋ユニットをモジュール化することにより、工費削減にも大きく寄与することが可能となる。
【００２１】
また、前記鉄筋ユニットは、柱かご鉄筋を構造物の２階層分の高さに形成していることから、該鉄筋ユニットが構造物の２層分に相当するため、上下方向に鉄筋ユニットを連接する際には、その機械式継ぎ手の数量を構造物の階層の半分に削減できるとともに、前記梁かご鉄筋を重ね継ぎ手により連結するため、構造物の架構構造に用いる機械式継ぎ手部材の数量を大幅に削減することができ、コストを大幅に削減することが可能となる。
【００２２】
さらに、前記柱に形成される柱主筋の機械式継ぎ手は、隣り合う柱に形成される柱主筋の機械式継ぎ手に対して、千鳥状に配置されていることから、ヤードにおける先組鉄筋の地組作業を均一化することが可能となる。また、効率的に作業を行うことができ、超高層ＲＣチューブ構造の構造物や中高層の板状マンション等に有効に活用することができる。
【００２３】
請求項２記載の構造物の架構構造によれば、向かい合う前記梁主筋に形成される重ね継ぎ手には、該梁主筋と比較して径の細い継手筋が用いられており、該継ぎ手筋が、梁かご鉄筋の内方で、梁主筋とあばら筋に側面を接する位置に配置されることから、継ぎ手筋を配置する際にはあばら筋に結束すればよいため、作業性を大幅に向上することが可能となる。
【００２４】
請求項３記載の構造物の架構構造によれば、梁かご鉄筋の側面に隣接する梁主筋に用いられる継ぎ手筋が、梁主筋の下方とあばら筋の鉛直部に周面を接するように配置されることから、サイドストリップモードで決まる付着割裂耐力を高めることができ、梁の構造耐力を高めることが可能となる。
【図面の簡単な説明】
【図１】本発明の構造物の架構構造を示す図である。
【図２】本発明の鉄筋ユニットを示す図である。
【図３】本発明の梁の接合構造を示す図である。
【図４】本発明の梁に備えられる継ぎ手筋の配置構造を示す図である。
【符号の説明】
１  構造物
２  柱
３  柱主筋
４  帯筋
５  柱かご鉄筋
６  梁
７  梁主筋
８  あばら筋
９  梁かご鉄筋
１０  鉄筋ユニット
１１  コンクリート
１２  機械式継ぎ手部材
１３  継ぎ手筋
【図１】
2004308320.tif 000003
【図２】
2004308320.tif 000004
【図３】
2004308320.tif 000005
【図４】
2004308320.tif 000006